(57)【特許請求の範囲】
【請求項１】
床下地盤側に固定されて床上に伸びた複数本のパイプ状支柱とその上部間を連結する天蓋フレームとを備え、地震に伴う家屋倒壊に対抗し得る強度をもたせてなる安全防護装置であって、前記天蓋フレームの底面には、前記支柱の上端内に差し込まれる差込棒が設けられるとともに、前記支柱の床上に伸びる部分の外周には、筒状をした保護ブロックがその内周孔を前記支柱の外周に挿入した状態にして設けられていることを特徴とする安全防護装置。
【発明の詳細な説明】
【技術分野】
【０００１】  この発明は、地震に伴う家屋の倒壊などの危険から住民を防護することのできる安全防護装置に関する。
【背景技術】
【０００２】  地震に伴う家屋の倒壊は圧死を招き、先の地震でも圧死した人の多いことが問題となった。その一方で、一般国民には、緊急地震速報や地震警報器などの手段でＰ波発生直後に地震来襲の警告を発することができるようになってきた。
【発明の開示】
【発明が解決しようとする課題】
【０００３】  しかしながら、警告を発するようになっても住民は確たる逃げ場所がないのが実状である。その一対策案として、例えば、特許第３７７９３８１号などのように食卓テーブルを下支えする地震用つかまり棒のような技術が開示されているが、現実には床構造が従来通りであるため床抜けし却って危険である。
この発明は、上記に鑑みなされたもので、地震襲来の警報に基づきに逃げる場所が底抜けしない強固な支持構造となっていて倒壊しても非常に安全な安全防護装置を提供することにある。
【課題を解決するための手段】【課題を解決するための手段】
【０００４】
上記課題を解決するため、請求項１記載の発明は、床下地盤側に固定されて床上に伸びた複数本のパイプ状支柱とその上部間を連結する天蓋フレームとを備え、地震に伴う家屋倒壊に対抗し得る強度をもたせてなる安全防護装置であって、前記天蓋フレームの底面には、前記支柱の上端内に差し込まれる差込棒が設けられるとともに、前記支柱の床上に伸びる部分の外周には、筒状をした保護ブロックがその内周孔を前記支柱の外周に挿入した状態にして設けられていることを特徴とする。
【発明の効果】【発明の効果】
【０００５】
この発明によれば、床下地盤側に固定されて床上に伸びた複数本のパイプ状支柱とその上部間を連結する天蓋フレームとを備え、地震に伴う家屋倒壊に対抗し得る強度をもたせてなる安全防護装置であって、前記天蓋フレームの底面には、前記支柱の上端内に差し込まれる差込棒が設けられるとともに、前記支柱の床上に伸びる部分の外周には、筒状をした保護ブロックがその内周孔を前記支柱の外周に挿入した状態にして設けられていることを特徴とするので、地震襲来の警報時に避難すべき場所として非常に安全な安全防護装置を提供することができる。
【発明を実施するための最良の形態】
【０００６】  以下、この発明の一実施形態を図面にしたがって説明するが、ここで説明する各実施形態に含まれる個々の提案例は他の実施形態にも適用されるものとする。また、各構成部材の材質は木材・金属・樹脂（発泡スチロールも含む）など現存するすべてのものを利用し得るものとする。
図１および図２は家屋内において例えば、緊急地震速報が発せられた場合や緊急地震警報が鳴った場合に直ぐに避難場所を確保するような場合に利用されるシェルターに関し、特に床下支持方式によるものを示す。【０００７】  ２００は床下地盤で、束石・大引き・根太などで構成される床下支持構体２０１を介して床板（フローリングや畳）２０２が敷設されている。床板２０２の適所は正方形（あるいは長方形）にカットされてそのカット分がシェルターの底板２０３とされている。底板２０３はその４つのコーナーが四角に切除されているとともに底補強材２０４により蓋として補強されている。【０００８】  床板２０２の内周縁底部には四辺にわたる受枠２０５が固定されるとともに同受枠２０５が束石２０６と補助床束２０７により床下地盤２００側に支持してあることにより、床板２０２の内周部分と底板２０３の外周部分がこの受枠２０５によってしっかりと受担されるようになっている。底板２０３の各コーナーは切除された切り欠きａになっており、この切り欠きａを通じて４本の支柱２０９が通されている。【０００９】  この支柱２０９は、直径１０ｃｍ前後の丸パイプ（あるいは角パイプ）製で、同支柱２０９は、床板２０２をカットしたあとで埋め込まれた４箇所の基礎ブロック２１０のそれぞれに基部が挿通されるとともにモルタル・土砂・ゴムなどの介装材２１１を介して固定されている。支柱２０９は床下から前記切り欠きａを通じて上へ垂直に伸び同じ上端高さとされている。床板２０２のカットされた個所には底板２０３がセットされるとともに閉止板２１２により切り欠きａの通穴が塞がれるようになっている。このように切り欠きａ内に離間して支柱２０９が通されているので、地震で床板２０２が揺れてもそれが支柱２０９に伝わらず、閉止板２１２により熱の出入りをシャットアウトしたり虫が室内に入るのも防止される。尚、底板２０３には開閉自在な蓋２１３を付して床下にもぐって避難できるようにしてもよい。【００１０】  ２１５は天蓋フレームで、アングルを四辺枠状とした本体２１６と同枠内に縦横に固定した枠内補強材２１７とで構成されており、この天蓋フレーム２１５は、コーナーの差込棒２１８を支柱２０９上端内に差し込むことにより特に止着具によらず固定されている。同フレーム２１５は圧入や接着、あるいは止着具で固定するようにしてもよい。
２１９は天蓋で、天蓋フレーム２１５に固定されており、木質や緩衝材とする。【００１１】  前記実施形態では底板２０３を設けたが、図２に仮想線で示すように底板２０３なしとし床板地盤２００上にあるように掘りごたつ式の掘り下げ床板２２１を設け、さらに立囲い壁２２２を周辺に設けて掘り下げ空間を形成するようにしてもよい。
床下地盤２００には地下シェルター２２３を形成してもよい。このシェルター２２３は、底板２０３を設けた場合と底板なしで前記掘り下げ床板２２１を設けた場合のいずれかに構成される。【００１２】  前記支柱２０９まわりには発泡スチロールや発泡ウレタン、スポンジ類などによる保護ブロック２２４を設けてもよい。このブロック２２４は、例えば、高さ５０ｃｍ（限定されない）のもの数個を支柱２０９の上端から差し入れるようにしたり、あるいは１本物を上端から差し入れるようにすることがある。この場合、ブロック２２４により避難入口は狭くなるものの逆にシェルターを強力な支持構造とするだけでなく避難を終えたあとに飛んできたりするものから避難者を防護する役目をする。
掘り下げ空間を形成した場合にはこのシェルターを低くして上端面を食卓とか作業面として使えるようにすることがある。
ブロック２２４を太径とした場合の斜視図を図３に示す。このブロック２２４は右下欄のように略角柱状にしてもよく、また、左上欄のように三角支柱型としてもよい。
さらに、床下固定式支柱２０９は３本で三角形の頂点配置にしてもよく、この場合、部屋のコーナーにシェルターを配置するとスペースの有効利用が図れるし、家屋の倒壊防御役も果すことができる。【００１３】  図５は他の実施形態を示す。同実施形態は、洋室（キッチンを含む）のフローリングや和室の畳などの床２３０の下空間に床下シェルター２３１を構築しておき、同シェルター２３１の上方の床面から少し離れた個所に開けた開口部２３２に避難蓋２３３を備えて地震避難時に同蓋２３３を開けることでシェルター２３１内の空間に避難できるようにしたものである。【００１４】  シェルター２３１は、斜め補強材２３４を備えた４本の支柱２３５と、支柱２３５間を相互連結する連結梁２３６と、底板２３７とを備えるもので、これらの部材は鉄骨製や木材で形成される。底板２３７の高さが床下地盤と同じであり、この底板２３７のある個所は更に掘り下げた地下避難空間２３８への開閉蓋方式とすることもできる。シェルター２３１には防災グッズ等を保管しておけば非常時に役に立つ。【００１５】  図６は他の実施形態を示す。同実施形態は、和室やリビングルームその他の部屋に設置されるベッド付きガードフレームについての例で、２５０はベッド本体で、同本体２５０は木質で、左右の側部フレーム２５１と前後フレーム２５２および敷盤２５３とでなっている。【００１６】  ガードフレームは、垂直な脚部とアーチ形の上部とを一体に備えた金属製のフレーム本体２５５を左右一対備える。このフレーム本体２５５は、周部に複数の孔を備え、その間に通された横連結材２５６…により組み立てられている。また、同フレーム本体２５５の脚部と前記ベッド本体２５０とは結合されて一体化されている。２５７は金属製の座盤でフレーム本体２５５の下端に連結固定されている。
前記実施形態では、ガードフレームが上部アーチ形をしているが、水平な天枠部分をもつものや逆アーチ形にしてもよい。また、ガードフレームにはベッド本体２５０が一体になっているが、別体方式にしてもよい。【００１７】  ところで、こうしたガードフレームは、ベッド本体２５０と同様に上からみると幅が狭く前後に長い構造体であることから例えば、畳上に設置しただけでは地震による揺れによって横転し非常に危険なものである。そうしたことに鑑み、同実施形態では、ガードフレームからその左右方向に展開し得るようなアウトリガー２５９を装備したものである。【００１８】  このアウトリガー２５９は、金属製でフレーム本体２５５を縦割りにした半アーチ形をしていてガードフレームの側面頂部に固定されたブラケット２６０に縦軸２６１を介して水平回転自在に設けられている。【００１９】  この回転は、仮想線で示すようにフレーム本体２５５に添った待機姿勢から実線で示すようにフレーム本体２５５の側面に対して直角に張出した姿勢との間で矢印Ｒのようになされる。そして、張出した姿勢で安定化するように、図６の右上欄のようにゴム質のロック片２６２を備えてフレーム本体２５５の側面に弾性変形して一時ロックされるようになっている。勿論、同じく弾性変形して越えれば仮想線のようにアウトリガー２５９を元に戻すこともできるようになっている。アウトリガー２５９の脚部には適宜の角度で畳などのフロアーに位置決め可能な上下操作可能な振れ止めロック２６３を横軸であるピン２６４回りに装備してもよい。ロック片２６２と振れ止めロック２６３はいずれか一方あるいは双方の装備が可能である。振れ止めロック２６３は少なくとも畳などに接触する部分がゴム質であれば畳側を傷めずしかも位置決めが確実になる。【００２０】  尚、同実施形態ではアウトリガー２５９が左右両側に装備されているが、設置スペースの都合でガードフレームが部屋の片隅に設置されるような場合にはスペースのある手前側一方のみに装備してもよい。【００２１】  また、アウトリガー２５９は、片側に１本のみ設けられているが、２本など複数本であってもよい。この場合、例えば、２本である場合、それぞれのアウトリガー２５９が別々に回転可能である場合と一体に回転可能である場合とがある。【００２２】  さらに、前記ではアウトリガー２５９が回転するようにしたが、勿論実線の位置などに固定して装備されることもある。
また、前記振れ止めロック片２６３は右下欄に付記したように単に昇降自在なタイプにしてもよい。このロック片２６３は金属や樹脂でもよいしゴム質でもよい。
さらに、アウトリガー２５９は逆Ｌ形であってもよい。【００２３】  従って、アウトリガー２５９を張り出せば地震の揺れによりガードフレームが横転するようなことが阻止される。それとともに、ガードフレームの側部スペースがアウトリガー２５９により護られた防護空間を構成し、家屋が倒壊して柱などが倒れてきても同アウトリガー２５９が先立って避難する者を防護するだけでなく、そのアウトリガー２５９の防護空間を利用してそこに他の家族が寝ることも可能になる。アウトリガー２５９はガードフレームの底抜けを有効に防止する。
尚、ガードフレームの底抜けを防止するため、仮想線のように、樹脂ロープ・ワイヤーロープやリンクチェーンなどの張り材２６５をフレーム本体２５５の脚間や座盤２５７間に張ってもよい。同張り材２６５は左右一対や前後一対あるいは四辺状に張ったり、底面にＸ字状に張ってもよい。【００２４】  図７はアウトリガーの別の実施形態を示す。図はガードフレームを前あるいは後側からみた様子を示し、２６８はフレーム本体、２６９は横連結材、２７０は座盤である。
左右の座盤２７０の底部間には、四角筒状の底枠２７１が固定して設けられている。この底枠２７１には、つまみストッパ２７２付きのアウトリガー２７３が棒状のものとして抜き差し自在に装備されている。このアウトリガー２７３には、ストッパ２７４がヒンジ支持して設けられ、このストッパ２７４がアウトリガー２７３とともに出入りするとともに抜き出された際にブラケット２７５にロックされることで抜き出した状態に維持できるようになっている。このストッパ２７４は省略してもよい。
尚、このアウトリガー２７３は、フレーム本体２６８の４本の脚部のうちの選択した１つあるいは複数個所に設けることができる。ベッド本体底部に設けてもよい。
また、アウトリガー２７３は、ロックピン２７６により伸展状態でロックできるようにしてもよい。【００２５】  図８ないし図１１は他の実施形態を示す。同実施形態は、アーチ形のフレーム本体２７８を横連結材２７９で連結一体化したガードフレームに対して、強化発泡スチロール（ＥＰＳ）を組み付けて防護機能を向上させてある。【００２６】  ２８０はベッド本体、２８１は立ち上がりブロックで、これら２８０，２８１は、全てＥＰＳ製とされて外装が張られるとともに相互はタイロッド２８２で一体化されている。そして、これら２８０，２８１はガードフレームの幅内に納まって横連結材２７９により固定されている。ベッド本体２８０上には敷布団が敷かれる。【００２７】  ２８３は上部ガードで、内形が１／４円形で外形が角形になっており、同ガード２８３はガードフレームのフレーム本体２７８間上部に挟まれるようにして横連結材２７９により挟み固定されている。２８４は薄型ＴＶである。
尚、上部ガード２８３は立ち上がりブロック２８１上に載り掛かっている。
また、図８に破線で示すように上部ガード２８３には収納部２８５を形成してもよい。
同収納部２８５は貫通した穴の外側を蓋２８６で閉止してある。この蓋２８６は開閉式あるいは脱着式にすれば圧迫感を軽減できる。【００２８】  図１０に仮想線で示すようにアウトリガー２８７を付属装備してもよい。ベッド本体２８０は木質でもよい。ベッド本体２８０を木質とし立ち上がりブロック２８１をＥＰＳ製としてもよい。その逆の構成でもよい。
上部ガード２８３は外包式として美的に処理することがある。【００２９】  図１２は他の実施形態を示す。同実施形態は、ベッド本体２９０を一体化あるいは別体化したガードフレームを左右のアーチ形フレーム本体２９１と横連結材２９２で構成するとともに、このガードフレームの上部には内形が半円形で外形が角形をし内部が空間になった防護枠２９３が横連結材２９２を利用して被冠されている。この防護枠２９３は鉄やアルミあるいは樹脂（ＦＲＰなど）等により形成されるもので、その内部には収納棚２９４やＴＶ２９５などが装備されている。【００３０】  尚、右欄にフレーム本体２９１の断面形状を示すように、丸パイプや四角パイプ、あるいはアングル型やＩ・Ｈ形鋼などを使用することができ、このことは図６から１１の実施形態でも同様に適用できる。【００３１】  図１３（側断面図）および図１４（図１３のＹ矢視図）は他の実施形態で木造住宅におけるリビングや和室などの床下空間を利用して床上まで立ち上がるように設置される倒壊前避難装置に関する。同実施形態において、５２０は床下地盤、５２１は床下構造、５２２は床板で、床板５２２には略正方形をした開口５２３が開けられ、その内縁には開口縁５２４が取り付けられている。【００３２】  ５２５は底フレーム、５２６は天フレームで、これらは金属あるいは木製、樹脂製などで作製された四辺枠でなり、特に天フレーム５２６には防護効果を上げるため渡架フレーム５２７が付されている。
天フレーム５２６と底フレーム５２５との上下間には周囲４本からなる縦フレーム５２８…が高さ１乃至１．３ｍで連結固定されている。床板５２２より少し下側に対応する個所には補強のための横つなぎ材５２９が連結固定されている。天フレーム・底フレーム・縦フレーム・渡架フレーム・横つなぎ材５２５〜５２９は適宜分解組立可能にして分解状態での搬送と現場組立ができるようにしてもよい。
尚、前記開口５２３は、図１３の仮想線のように柱５３０を備えた押入れなどの収納設備内に設けることがある。【００３３】  同装置は、開口５２３を通じて下半部が没するように入れられてアンカー５３１…により床下地盤５２０へ固定される。装置の底には座盤５３２が敷設されているとともに、床上へ突き出たフレーム部分の外周には図６３の正面側を除いて保護カバー５３３が被せられ、その更に外周にはクッション材５３４が被せられている。５３５は保護シャッターで、避難したあとに閉じて倒壊により飛散してくるものから避難者を護るためのもので、５３６はマグネットや掛止具などの受け具、５３７は自由繰り出し防止のためのロック具である。【００３４】  緊急地震速報や地震発生時には避難者は矢印Ｅのように同装置内に飛び込み家屋が倒壊したり家具の飛散などの非常事態から避難する。【００３５】  尚、上記各発明は、当該実施形態以外に、当該実施形態に基づくとき当業者であれば容易に考え付く所謂自明な程度に変更・変形可能な態様の全てを含むものである。【００３６】  図１５は他の実施形態を示す。同実施形態は、ビル内などに設置された机１０５の一対を利用してその間に発泡スチロールブロック１０６付きの防護バー１０７を渡し掛けることによりその下にもぐり込んだ人を地震から護るようにしたものである。この防護バー１０７は通常は机１０５近くの床上に待機させておく。【００３７】  図１６は他の実施形態を示す。同実施形態は、地下鉄構内の支柱１１０の近傍に、発泡スチロール製座ブロック１１１とそれを取り囲むようにして立設された囲いフレーム１１２とで構成したレスト装置を設置して地震時に防護されるようにしたものである。このレスト装置は支柱１１０などに定着させておくものとする。【００３８】  図１７は他の実施形態を示す。同実施形態は、仮設資材である単管１１４とそれに嵌合する型枠固定用の樹脂製押さえ材１１５とのセットをビル内や家屋内に立設してレベル調節により独立して固定可能にし、これらセットの複数組を使って防護室を形成することができるようにしたものであり、特に単管１１４にブラケット１１６を張り出して防護用の仕切り板１１７を張ることができるようにしてある。
尚、前記押さえ材１１５はロングホーム（株）製ハイブリッドバタ（商品名）（高強度ＦＲＰ材）が好適である。【００３９】  図１８は他の実施形態を示す。同実施形態は、学童机についての例で、１２０は脚、１２１は脚連結パイプ、１２２は収納部、１２３はテーブルを示し、こうした机は、地震警報に合わせて学童がもぐり込んで避難するために利用されるが、避難した際に収納部１２２が低くて地震ショックで頭を打つようなおそれがある。そのことから高さ調節具１２４を構成した。
同調節具１２４は、木材や樹脂（発泡スチロールを含む）あるいは軽金属などを使用して長手状のブロック状とされた本体１２５の一対と、これら本体１２５をつなぐ連結板１２６とでなり、特に本体１２５には、脚１２０が深く挿入される第１孔１２７と浅いところで止まる第２孔１２８とが各脚１２０に対応するように形成されており、学童がもぐったあとこの机を持ち上げて第１孔１２７から第２孔１２８へ脚１２０を抜き差しすることで机が高く調節されて頭を強く打つようなことがなくなるものである。
尚、本体１２５は帯板状にしそれから第１パイプ１２９と第２パイプ１３０の一対を立ててその一方１２９が深く他方１３０が浅くなっている。
尚、前記孔１２７，１２８は右欄図のように入り易いようにすり鉢状とする。また、図１９に示すように、脚１２０を移行させやすいように孔１２７，１２８間には連絡溝１３１を設けてもよい。【００４０】  図２０および図２１は付加的な提案例を示す。同例は、水蒸気の発生促進方法の一例を示すもので、この促進方法によって陸地に降雨を促し砂漠などの緑化を促進しようとするものである。
海岸線の近くの陸地に図２１のような断面をした溝１３４を並列で蛇行状に形成し、その部分１３４にポンプＰによって海水を注ぎ込むようにする。溝１３４と溝１３４の間には盛り土１３５が形成され、その上部には太陽光を受けて保有しやすい砂・岩石、鉄、吸熱パイプなどを設けてその近傍一帯を熱くして上昇流を起こすようにする。そして、こうした熱分により溝１３４内の海水を温めて高熱化し水蒸気を発生して上昇流とともに上昇させるようにする。この方法は周辺の熱くなる山肌や岩山などを利用するとより効果的である。また、太陽光をレンズを介してこれらの一帯周辺を加熱するようにしても効果があがる。【００４１】  図２２も付加的な提案例を示し、同例は、海面すぐ上に熱し台１３７…を複数本配備し、その熱し台１３７に岩石・鉄材・黒いビニール管（中に水）などの熱体１３８…を配備しておいて太陽光をレンズ１３９を介して集束して当てることにより熱し台１３７全体が加熱され、これにより、海面から水蒸気が発生し熱し台１３７間を通じて上昇する仕組みになっている。
太陽が沈んだあとは原子力やソーラーなどを電源として温めるようにしてもよい。
図２３の例は、熱し台１４１により上昇する水蒸気を上昇しやすくさせるため、水蒸気を捉えて上昇させる板やパイプ１４２を竜巻流を起生するように斜め配備したものである。【００４２】  図２４および図２５の提案例は、フロート船１４４上に縦横に交差する加熱パイプ１４５…を配備していかだ状とし、これらを前後につないで曳航船１４６で牽くようにしたもので、加熱パイプ１４５は海面からすぐ上方であるので、図２５のように水蒸気が発生して上昇するようになる。
尚、これらパイプ１４５には太陽光を集束して当てるためのレンズを搭載するものとする。海面下には水面下の冷たい水が上域の温まった水に影響しにくくして水蒸気が上昇しやすくする断熱膜１４７を設けてもよい。【００４３】  図２６の提案例は、船１４９の甲板面に流水溝１５０を蛇行状などとして設けてポンプＰにより海水を汲み上げて注ぎ込み、これに太陽光をレンズ１５１を介して当て付けることにより加熱して上昇させるようにしたものである。船１４９それ自体も加熱するようにして航行する船周りの海水までも水蒸気として上昇させるようにすることができる。【００４４】  図２７の提案例は、山々の上空を飛行機１５３が通過するような場合に山１５４や飛行機１５３からスピーカー１５５で音を発して雨雲を振動させ雨粒となりやすくする。音の強弱を交えて雨を降らせやすく制御する。また、超音波波動を当てて人工的に雨を降り易くする。飛行機などよりヨーカ銀やドライアイスなどを投下することは従来より行われているが、ここでは肥料となる微粒子や山々の酸性土を中和する石灰粒子、さらに種などの粒子を核として散布すれば有効である。植物プランクトンである硫化ジメチル（ＤＭＳ）を散布してもよい。また、この散布には気球１５６を利用してもよい。これら核を台風に対して散布すれば雨雲を本土上陸前に多量に発生させてその後の台風被害を少なくすることができる。これらの核を散布する方法は図２０以降の他の提案例でも適用することができる。
【図面の簡単な説明】
【００４６】
【図１】本発明の一実施形態を示す平面図で、その上半分は図２のＨ−Ｈ線断面図、その下半分は天蓋を一部のみで示す上面図。
【図２】図１のＶ−Ｖ線断面図。
【図３】図２の仮想線で示す実施形態に基づく斜視図。
【図４】他の実施形態を示す平面図。
【図５】他の実施形態を示す斜視図。
【図６】他の実施形態を示す斜視図。
【図７】他の実施形態を示す側面図。
【図８】他の実施形態を示す一部切断正面図。
【図９】図８のＨ−Ｈ線断面図。
【図１０】図８の右側面図。
【図１１】図８の底面図。
【図１２】他の実施形態を示す正面図。
【図１３】他の実施形態を示す縦断面図。
【図１４】図１３のＹ矢視図。
【図１５】他の実施形態を示す正面図。
【図１６】他の実施形態を示す側面図。
【図１７】他の実施形態を示す横断平面図。
【図１８】他の実施形態を示す斜視図。
【図１９】他の実施形態を示す断面図。
【図２０】付加的な提案例を示す斜視説明図。
【図２１】図２０の要部拡大断面図。
【図２２】他の提案例を示す斜視断面図。
【図２３】他の提案例を示す説明図。
【図２４】他の提案例を示す斜視図。
【図２５】図２４の要部拡大説明図。
【図２６】他の提案例を示す斜視図。
【図２７】他の提案例を示す説明図。
【符号の説明】
【００４７】  ２００…床下地盤  ２０２…床板  ２０９…支柱  ２１５…天蓋フレーム  ２１９…天蓋  ２２４…保護ブロック（保護部材）。
【図１】
0005309347.tif 000002
【図２】
0005309347.tif 000003
【図３】
0005309347.tif 000004
【図４】
0005309347.tif 000005
【図５】
0005309347.tif 000006
【図６】
0005309347.tif 000007
【図７】
0005309347.tif 000008
【図８】
0005309347.tif 000009
【図９】
0005309347.tif 000010
【図１０】
0005309347.tif 000011
【図１１】
0005309347.tif 000012
【図１２】
0005309347.tif 000013
【図１３】
0005309347.tif 000014
【図１４】
0005309347.tif 000015
【図１５】
0005309347.tif 000016
【図１６】
0005309347.tif 000017
【図１７】
0005309347.tif 000018
【図１８】
0005309347.tif 000019
【図１９】
0005309347.tif 000020
【図２０】
0005309347.tif 000021
【図２１】
0005309347.tif 000022
【図２２】
0005309347.tif 000023
【図２３】
0005309347.tif 000024
【図２４】
0005309347.tif 000025
【図２５】
0005309347.tif 000026
【図２６】
0005309347.tif 000027
【図２７】
0005309347.tif 000028